(57)【要約】【課題】ランプを冷却することができるとともにレンズの取付構造が簡易な照明器具を提供する。【解決手段】光源２２がレンズ２５の光源用開口２５１から外部に突出しているので、発熱する光源２２を容易に冷却することができるとともに、光源用開口２５１の内周面と光源２２との隙間２８から空気が出入りするので、照明器具１０内部に熱がこもるのを防止して、照明器具１０内の温度を下げることができる。また、光源２２の先端部が外部からつかめるので、レンズ２５の着脱を行うことなく容易に光源２２の交換を行うことができる。このため、レンズ２５の着脱が不要となり、レンズ２５の取付構造が簡易になる。さらに、光源２２の先端部が外部に突出しているので、照明器具１０をコンパクト化することができる。【選択図】図１
2010170740.tif 000002
【特許請求の範囲】
【請求項１】
光源と、
前記光源からの光を配光制御する反射板と、
前記光源および前記反射板を内包する灯具と、
前記反射板の前方に設けられ前記光源の前方に光源用開口を有するレンズと、を有する照明器具であって、
前記光源の先端部が前記レンズの前記光源用開口から前方に突出していることを特徴とする照明器具。
【請求項２】
前記レンズの前記光源用開口の内周縁に複数個の弾性体を所定間隔で設け、前記弾性体により前記レンズを前記光源の先端部に固定することを特徴とする請求項１記載の照明器具。
【請求項３】
前記灯具または前記反射板において前記レンズが配置されるレンズ用開口に、前記レンズの落下を防止する落下防止用突起を複数個設け、
前記レンズの外周に前記落下防止用突起が通過可能な凹部を設けたことを特徴とする請求項２記載の照明器具。
【発明の詳細な説明】
【技術分野】
【０００１】
本発明は、光源からの光を所定の方向へ反射する反射板の前方にレンズが取付けられた照明器具に関するものである。
【背景技術】
【０００２】
従来より、反射板に取付けられた光源の前方にレンズを取付けて、所定の配光を行う照明器具が提案されている（例えば特許文献１参照）。
図４に示すように、特許文献１に記載の照明器具１００では、ランプ収納容器１０１内にランプ本体１０２が収容されている。ランプ本体１０２は中央に光源であるランプ１０５を有し、ランプ１０５には内面を反射面としたリフレクタ１０３が取付けられている。リフレクタ１０３の前部にはレンズ１０４が取付けられている。ランプ収納容器１０１は前部に開口を有し、この開口にレンズ１０４が配置される。
【０００３】
ランプ１０５の前方に位置するレンズ１０４の中央には、開口１０６が設けられている。リフレクタ１０３の前端部には、空気取入口１１０が設けられており、リフレクタ１０３の後端部には空気排出口１１１が設けられている。また、ランプ収納容器１０１の側壁１０７の前端部には空気取入口１０８が設けられており、後壁１０９には空気排出口１１２が設けられている。さらに、ランプ収納容器１０１の後壁１０９の後方には、送風機１１３が設けられている。
【０００４】
従って、送風機１１３の作用により、空気がランプ収納容器１０１の空気取入口１０８からランプ収納容器１０１の内部に流入し、ランプ収納容器１０１内の空気が空気排出口１１２から吸引される。これに伴い、レンズ１０４の開口１０６およびリフレクタ１０３の空気取入口１１０から空気がリフレクタ１０３内部に取り入れられ、リフレクタ１０３の空気排出口１１１からリフレクタ１０３の外に排出される。このとき、ランプ１０５を冷却する。
【先行技術文献】
【特許文献】
【０００５】
【特許文献１】特開２００２−２４５８４２号公報（第１図）
【発明の概要】
【発明が解決しようとする課題】
【０００６】
しかしながら、前述した照明器具１００においては、ランプ１０５を前面から交換する際には、レンズ１０４が取付けられている前面枠部を外してレンズ１０４を外す必要があり、前面枠部の構造が複雑になるという問題があった。
【０００７】
本発明は、従来の問題を解決するためになされたもので、ランプを冷却することができるとともにレンズの取付構造が簡易な照明器具を提供することを目的とする。
【課題を解決するための手段】
【０００８】
本発明の照明器具は、光源と、前記光源からの光を配光制御する反射板と、前記光源および前記反射板を内包する灯具と、前記反射板の前方に設けられ前記光源の前方に光源用開口を有するレンズと、を有する照明器具であって、前記光源の先端部が前記レンズの前記光源用開口から前方に突出した構成を有している。
【０００９】
この構成により、光源がレンズの光源用開口から外部に突出しているので、発熱する光源を容易に冷却することができるとともに、光源用開口の内周面と光源との隙間から空気が出入りするので、照明器具内部に熱がこもるのを防止して、照明器具内の温度を下げることができる。また、光源の先端部が外部からつかめるので、レンズの着脱を行うことなく容易に光源の交換を行うことができる。このため、レンズの着脱が不要となり、レンズの取付構造が簡易になる。さらに、光源の先端部が外部に突出しているので、照明器具をコンパクト化することができる。
【００１０】
また、本発明の照明器具は、前記レンズの前記光源用開口の内周縁に複数個の弾性体を所定間隔で設け、前記弾性体により前記レンズを前記光源の先端部に固定する構成を有している。
【００１１】
この構成により、レンズの光源用開口に取付けられている弾性体により、レンズを光源の先端に取付けるので、レンズの取付構造を簡素化することができる。また、光源の交換時には、レンズと一体で取り外すことができるので、光源の交換が容易になる。
【００１２】
さらに、本発明の照明器具は、前記灯具または前記反射板において前記レンズが配置されるレンズ用開口に、前記レンズの落下を防止する落下防止用突起を複数個設け、前記レンズの外周に前記落下防止用突起が通過可能な凹部を設けた構成を有している。
【００１３】
この構成により、灯具または反射板のレンズ用開口に設けられた落下防止用突起を、レンズの外周に設けられた凹部に合わせてレンズを装着し、落下防止用突起を通過させた後にレンズを回転させることにより、落下防止用突起でレンズを係止するので、レンズの落下を防止することができる。
【発明の効果】
【００１４】
本発明は、光源がレンズの光源用開口から外部に突出しているので、発熱する光源を容易に冷却することができるとともに、光源用開口の内周面と光源との隙間から空気が出入りするので、照明器具内部に熱がこもるのを防止して、照明器具内の温度を下げることができる。また、光源の先端部が外部からつかめるので、レンズの着脱を行うことなく容易に光源の交換を行うことができる。このため、レンズの着脱が不要となり、レンズの取付構造が簡易になるという効果を有する照明器具を提供することができるものである。
【図面の簡単な説明】
【００１５】
【図１】（Ａ）は本発明の第１実施形態にかかる照明器具の一部破断の側面図、（Ｂ）は（Ａ）中Ｂ方向から見た正面図
【図２】（Ａ）は本発明の第２実施形態にかかる照明器具の一部破断の側面図、（Ｂ）は（Ａ）中Ｂ方向から見た正面図
【図３】（Ａ）は本発明の第３実施形態にかかる照明器具の一部破断の側面図、（Ｂ）は（Ａ）中Ｂ方向から見た正面図
【図４】従来の照明器具の断面図
【発明を実施するための形態】
【００１６】
（第１実施形態）
以下、本発明の第１実施形態の照明器具について、図面を用いて説明する。
図１（Ａ）は本発明の第１実施形態にかかる照明器具の一部破断の側面図、（Ｂ）は（Ａ）中Ｂ方向から見た正面図である。
【００１７】
図１に示すように、本発明の第１実施形態にかかる照明器具１０は、例えば天井や、天井に取付けられたダクトレールに取付けられるアーム１１を有しており、アーム１１の下端に灯具２０を有する。アーム１１は天井等に対して旋回可能に取付けることができ、灯具２０はアーム１１の下端に、上下方向へ回動可能に取付けることができる。これにより、照明器具１０は、所望の方向を照らすことができるスポットライトやダウンライトとして使用することができる。
【００１８】
灯具２０は、全体円筒形状の灯体２１を有する。灯体２１の後部にはソケット２６が収容されており、このソケット２６に光源であるランプ２２が着脱可能に取付けられる。ソケット２６は、配線２３によりランプ２２点灯用の電力が供給される。ソケット２６の前方には、ランプ２２の光を所定の方向および範囲に照射するための反射板２４を有する。反射板２４の先端の開口であるレンズ用開口２４１には、ランプの光を配光制御するレンズ２５が配設されており、レンズ２５の外周部は、枠部材２７によって反射板２４の先端に取付けられている。
【００１９】
レンズ２５の中央には、ランプ２２の先端部の外径よりも大きい円形の光源用開口であるランプ用開口２５１が設けられており、ランプ２２の先端部がレンズ２５の前方（照射方向）へ突出している。レンズ２５から突出しているランプ２２の長さは、人が指でつかむことができる長さが望ましい。ランプ２２の外周面とランプ用開口２５１の内周面との間には、隙間２８が設けられている。なお、灯体２１の先端部２１１を、少なくともランプ２２の先端よりも前方まで設けて、ランプ２２が灯体２１の外側へ露出しないようにする。
【００２０】
以上、説明した本発明の第１実施形態にかかる照明器具１０によれば、ランプ２２がレンズ２５のランプ用開口２５１から外部に突出しているので、発熱するランプ２２を容易に冷却することができるとともに、ランプ用開口２５１の内周面とランプ２２との隙間２８から空気が出入りするので、照明器具１０内部に熱がこもるのを防止して、照明器１０内の温度を下げることができる。
【００２１】
また、ランプ２２の先端部が外部からつかめるので、レンズ２５の着脱を行うことなく、容易にランプ２２の交換を行うことができ、レンズ２５を固定する枠部材２７の構造が簡易になる。
さらに、ランプ２２の先端部がレンズ２５の前方に突出しているので、照明器具１０をコンパクト化することができる。
【００２２】
なお、上述した照明器具１０においては、レンズ２５の外周部を枠部材２７を用いて反射板２４の先端のレンズ用開口２４１に固定する場合について説明したが、灯体２１に枠部材２７を取付けて、灯体２１の先端であるレンズ用開口にレンズ２５を固定する場合についても、同様に適用することができる。
【００２３】
（第２実施形態）
次に、本発明の第２実施形態の照明器具について、図面を用いて説明する。
図２（Ａ）は本発明の第２実施形態にかかる照明器具の一部破断の側面図、（Ｂ）は（Ａ）中Ｂ方向から見た正面図である。なお、前述した第１実施形態にかかる照明器具１０と共通する部位には同じ符号を付して、重複する説明を省略することとする。
【００２４】
図２に示すように、第２実施形態にかかる照明器具１０Ｂでは、レンズ２５の外周部を固定する枠部材２７は設けられず、レンズ２５の外周部は、反射板２４および灯体２１に固定されていない。また、レンズ２５のランプ用開口２５１には、耐熱性のあるゴムや樹脂で形成された弾性体であるパッキン２９が、所定間隔で複数個（ここでは、例えば４個）設けられており、パッキン２９の弾性力により、レンズ２５をランプ２２の先端部に固定している。なお、パッキン２９は、ランプ用開口２５１にパッキン２９を取付けた状態でも、空気の出入りが可能な隙間２８を確保できる大きさおよび個数とする。
【００２５】
以上、説明した第２実施形態にかかる照明器具１０Ｂによれば、レンズ２５のランプ用開口２５１に取付けられているパッキン２９により、レンズ２５をランプの先端に取付けるので、レンズ２５の外周部は固定されず、レンズ２５の取付構造を簡素化することができる。
また、レンズ２５はランプ２２とともに容易に回転するので、ランプ２２の交換の際には、ランプ２２とレンズ２５を一体で取り外すことにより、ランプ２２の交換が容易になる。
【００２６】
（第３実施形態）
次に、本発明の第３実施形態の照明器具について、図面を用いて説明する。
図３（Ａ）は本発明の第３実施形態にかかる照明器具の一部破断の側面図、（Ｂ）は（Ａ）中Ｂ方向から見た正面図である。なお、前述した第１実施形態および第２実施形態にかかる照明器具１０、１０Ｂと共通する部位には同じ符号を付して、重複する説明を省略することとする。
【００２７】
図３に示すように、第３実施形態にかかる照明器具１０Ｃでは、前述した第２実施形態にかかる照明器具１０Ｂにおいて、レンズ２５が配置されるレンズ用開口２４１に、レンズ２５の落下を防止する落下防止用突起３１１を複数個（ここでは、例えば２個）有する枠部材３１を設けるとともに、レンズ２５の外周に落下防止用突起３１１が通過可能な凹部２５２を複数個（ここでは、例えば２個）設けた。凹部２５２の大きさは、落下防止用突起３１１が通過可能な大きさとする。
【００２８】
例えば、図３（Ｂ）に示すように、落下防止用突起３１１をレンズ用開口２４１の任意の一直径上に２個（１セット）設け、凹部２５２をレンズ２５の任意の一直径上に２個（１セット）設ける。なお、レンズ２５に設ける凹部２５２は、落下防止用突起３１１のセット数よりも多いセット数で設けることができる。
レンズ２５およびランプ２２の着脱時には、凹部２５２を落下防止用突起３１１の位置に合わせて、落下防止用突起３１１を通過させる。レンズ２５の固定時には、レンズ２５を回転させて、凹部２５２を落下防止用突起３１１の位置からずらす。
【００２９】
以上、説明した第３実施形態にかかる照明器具１０Ｃによれば、反射板２４のレンズ用開口２４１に設けられた落下防止用突起３１１を、レンズ２５の外周に設けられた凹部２５２に合わせてレンズ２５を装着し、落下防止用突起３１１を通過させた後にレンズ２５を回転させることにより、落下防止用突起３１１でレンズ２５を係止するので、簡易な構造で、レンズ２５の落下を確実に防止することができる。また、ランプ２２を容易に交換することができる。
【００３０】
なお、上述した照明器具１０Ｃにおいては、反射板２４の先端の開口をレンズ用開口２４１として落下防止用突起３１１を設けた場合について説明したが、灯体２１の先端である開口をレンズ用開口として落下防止用突起を設ける場合についても、同様に適用することができる。
【００３１】
なお、本発明の照明器具は、前述した各実施形態に限定されるものでなく、適宜な変形，改良等が可能である。
【符号の説明】
【００３２】
１０  照明器具
２０  灯具
２２  ランプ（光源）
２４  反射板
２４１  レンズ用開口
２５  レンズ
２５１  ランプ用開口（光源用開口）
２５２  凹部
２９  パッキン（弾性体）
３１１  落下防止用突起
【図１】
2010170740.tif 000003
【図２】
2010170740.tif 000004
【図３】
2010170740.tif 000005
【図４】
2010170740.tif 000006